(57)【要約】【課題】  医療機関の医療監査を第三者により行う際には、当該関係者間の煩雑な作業を要する。【解決手段】  監査機関システム（200）と通信ネットワーク（100a）を介して接続された医療機関システム（1）が、医療機関における施術状況を示す術中映像を撮影すると共に該施術中のバイタルサインを含む術中情報を出力し、術中情報および術中映像を符号化して監査機関システムへ送信する。これを受信した監査機関システムは、受信データのＩＤ情報を医療機関システムへ通知し、また、受信データを復号して当該術中情報および術中映像を出力し、その後、入力された監査結果データをＩＤ情報と関連付けて記録する。医療機関システムは、送信した術中記録データに対応するＩＤ情報を監査機関システムへ送信し、監査機関システムは、受信したＩＤ情報に対応する監査結果データを検索し当該監査結果データを医療機関システムへ送信する。【選択図】      図２
2005346552.tif 000002
【特許請求の範囲】
【請求項１】
通信ネットワークを介して相互に接続された医療機関システムおよび監査機関システムを備え、
前記医療機関システムは、
医療機関における施術状況を示す術中映像を撮影する撮影部と、
前記施術中のバイタルサインを含む術中情報を出力する術中情報出力部と、
前記撮影部が撮影した術中映像および前記術中情報出力部が出力した術中情報を符号化して術中記録データを生成し、該生成した術中記録データを前記監査機関システムへ送信し、該送信した術中記録データに対応する監査結果データを前記監査機関システムから取得する監査結果取得部とを有し、
前記監査機関システムは、
医療監査結果を示す監査結果データを入力する入力部と、
前記医療機関システムから受信した術中記録データを識別するためのＩＤ情報を該医療機関システムへ通知し、該術中記録データを復号して当該術中情報および術中映像を出力し、該出力した術中情報および術中映像に基づき前記入力部により入力される監査結果データを前記ＩＤ情報と関連付けて記録し、該記録したＩＤ情報に基づき監査結果データを検索し当該検索結果の監査結果データを前記医療機関システムへ供給する監査結果供給部とを有し、
前記監査結果取得部は、監査結果データを取得するとき、当該術中記録データに対応するＩＤ情報を前記監査機関システムへ送信することを特徴とする遠隔医療監査システム。
【請求項２】
前記医療機関システムは、前記監査結果取得部が符号化すべき術中映像および術中情報を合成する合成処理部を有することを特徴とする請求項１記載の遠隔医療監査システム。
【請求項３】
前記合成処理部は、さらに、外部入力される当該施術日時および施術者名を含む情報を合成することを特徴とする請求項２記載の遠隔医療監査システム。
【請求項４】
前記撮影部は、前記術中映像として、少なくとも当該施術箇所を含む映像と、少なくとも当該施術者を含む映像とを個別且つ同時的に撮影することを特徴とする請求項１乃至３のいずれか１項に記載の遠隔医療監査システム。
【請求項５】
医療監査を行う機関の監査機関システムと通信ネットワークを介して接続された医療機関システムが、医療機関における施術状況を示す術中映像を撮影すると共に該施術中のバイタルサインを含む術中情報を出力し、該出力した術中情報および前記撮影した術中映像を符号化して術中記録データを生成し、該生成した術中記録データを前記監査機関システムへ送信し、
前記監査機関システムが、前記医療機関システムから受信した術中記録データを識別するためのＩＤ情報を該医療機関システムへ通知し、該術中記録データを復号して当該術中情報および術中映像を出力し、該出力した術中情報および術中映像に基づき入力される監査結果データを前記ＩＤ情報と関連付けて記録し、
前記医療機関システムが、前記送信した術中記録データに対応するＩＤ情報を前記監査機関システムへ送信し、
前記監査機関システムが、前記医療機関システムから受信したＩＤ情報に対応する監査結果データを検索し当該監査結果データを前記医療機関システムへ送信することを特徴とする遠隔医療監査方法。
【請求項６】
前記医療機関システムが、符号化すべき術中映像および術中情報を合成することを特徴とする請求項５記載の遠隔医療監査方法。
【請求項７】
前記医療機関システムが、前記合成において、さらに、外部入力される当該施術日時および施術者名を含む情報を合成することを特徴とする請求項６記載の遠隔医療監査方法。
【請求項８】
前記医療機関システムが、前記術中映像として、少なくとも当該施術箇所を含む映像と、少なくとも当該施術者を含む映像とを個別且つ同時的に撮影することを特徴とする請求項５乃至７のいずれか１項に記載の遠隔医療監査方法。
【請求項９】
医療監査を行う機関の監査機関システムと通信ネットワークを介して接続され、且つ、医療機関における施術状況を示す術中映像を撮影する撮影部と該施術中のバイタルサインを含む術中情報を出力する術中情報出力部とを含む医療機関システムに設けられるコンピュータに、
前記撮影部が撮影した術中映像および前記術中情報出力部が出力した術中情報を符号化して術中記録データを生成するステップと、該生成した術中記録データを前記監査機関システムへ送信するステップと、該送信した術中記録データを識別するための情報を用いて該術中記録データに対応する監査結果データを前記監査機関システムから取得するステップとを実行させることを特徴とするプログラム。
【請求項１０】
前記コンピュータに、符号化すべき術中映像および術中情報を合成するステップを実行させることを特徴とする請求項９記載のプログラム。
【請求項１１】
前記コンピュータに、外部入力される当該施術日時および施術者名を含む情報を合成するステップを実行させることを特徴とする請求項１０記載のプログラム。
【請求項１２】
医療機関に設けられた医療機関システムと通信ネットワークを介して接続されたコンピュータに、
前記医療機関システムから施術に関する術中記録データを受信したとき該データを識別するためのＩＤ情報を該医療機関システムへ通知するステップと、該術中記録データを復号して当該術中情報および術中映像を出力するステップと、該出力した術中情報および術中映像に基づき入力される監査結果データを前記ＩＤ情報と関連付けて記録するステップと、前記医療機関システムからＩＤ情報を受信したとき該受信したＩＤ情報に対応する監査結果データを検索し当該監査結果データを前記医療機関システムへ送信するステップとを実行させることを特徴とするプログラム。
【発明の詳細な説明】
【技術分野】
【０００１】
本発明は、医療機関にて実施された医療行為について監査を行うためのシステムに関し、特に、医療機関とは別個の機関により通信ネットワークを利用して医療監査を行うためのシステムおよび監査方法に関する。
【背景技術】
【０００２】
従来、医療機関において重大な外科手術等の医療行為を行う際、万一の不慮の医療事故における執刀医師等の過失の有無を判断するために、その医療機関に従事する者が、手術室内にて立ち会う、あるいは手術室内部の撮像カメラにより撮影された術中映像を手術と同時並行的に別室にて視聴することにより、同医療機関内にて医療監査を行う。
【０００３】
このような医療機関にて実施される手術での手技や、患者の様態等を公開するための技術的手法として、例えば、後述の特許文献１に記載のものがある。特許文献１に記載の手法は、病院に設けられた院内サーバが、手術室などで撮影された手技・臨床等の映像をインターネット上のサービスセンタサーバへ送信し、このサービスセンタサーバが、送信された映像を医師宅のＰＣにインターネット配信するというものである。
【特許文献１】特開２００２−２２２２５９号公報
【発明の開示】
【発明が解決しようとする課題】
【０００４】
ところで、医療機関における従来の医療監査は、上述したように、その医療機関の従事者により行われることから、医療事故における執刀医師等の過失の有無を判断する際、公正な判断が保証されないという問題がある。この問題を解決するために、例えば、上記の特許文献１の手法により、当該施術状況を医療機関から外部へ公開し、第三者による医療監査を実施することが考えられる。
【０００５】
しかしながら、そのためには、予め電話や電子メール等により外部の監査者へ監査の依頼を行い、依頼を受けた監査者がセンタサーバから当該映像データを取得し医療監査を行うこととなる。また、監査者は、監査結果を通知する都度、その内容を電子メールや郵送にて送付するという作業を必要とされる。このように、医療機関の医療監査を第三者が行うにあたっては、当該関係者間の煩雑な作業を要するという問題がある。
【０００６】
本発明は、上記課題に鑑みてなされたものであり、医療機関における重大な外科手術等の医療行為に対する第三者による監査を円滑に行い得る遠隔医療監査システムおよび遠隔医療監査方法を提供することを目的とする。
【課題を解決するための手段】
【０００７】
本発明に係る遠隔医療監査システムは、通信ネットワークを介して相互に接続された医療機関システムおよび監査機関システムを備え、前記医療機関システムは、医療機関における施術状況を示す術中映像を撮影する撮影部と、前記施術中のバイタルサインを含む術中情報を出力する術中情報出力部と、前記撮影部が撮影した術中映像および前記術中情報出力部が出力した術中情報を符号化して術中記録データを生成し、該生成した術中記録データを前記監査機関システムへ送信し、該送信した術中記録データに対応する監査結果データを前記監査機関システムから取得する監査結果取得部とを有し、前記監査機関システムは、医療監査結果を示す監査結果データを入力する入力部と、前記医療機関システムから受信した術中記録データを識別するためのＩＤ情報を該医療機関システムへ通知し、該術中記録データを復号して当該術中情報および術中映像を出力し、該出力した術中情報および術中映像に基づき前記入力部により入力される監査結果データを前記ＩＤ情報と関連付けて記録し、該記録したＩＤ情報に基づき監査結果データを検索し当該検索結果の監査結果データを前記医療機関システムへ供給する監査結果供給部とを有し、前記監査結果取得部は、監査結果データを取得するとき、当該術中記録データに対応するＩＤ情報を前記監査機関システムへ送信する。
【０００８】
本発明に係る遠隔医療監査方法は、医療監査を行う機関の監査機関システムと通信ネットワークを介して接続された医療機関システムが、医療機関における施術状況を示す術中映像を撮影すると共に該施術中のバイタルサインを含む術中情報を出力し、該出力した術中情報および前記撮影した術中映像を符号化して術中記録データを生成し、該生成した術中記録データを前記監査機関システムへ送信し、前記監査機関システムが、前記医療機関システムから受信した術中記録データを識別するためのＩＤ情報を該医療機関システムへ通知し、該術中記録データを復号して当該術中情報および術中映像を出力し、該出力した術中情報および術中映像に基づき入力される監査結果データを前記ＩＤ情報と関連付けて記録し、前記医療機関システムが、前記送信した術中記録データに対応するＩＤ情報を前記監査機関システムへ送信し、前記監査機関システムが、前記医療機関システムから受信したＩＤ情報に対応する監査結果データを検索し当該監査結果データを前記医療機関システムへ送信するという方法である。
【発明の効果】
【０００９】
本発明によれば、医療機関システムおよび監査機関システムによる協働により、医療機関の医療監査を第三者により円滑に実施することができる。そして、万一、医療機関にて不慮の医療事故が発生し医療過誤訴訟が行われても、医療機関は、医療機関システムが監査機関システムから取得した監査結果データを裁判の証拠として活用することができる。
【発明を実施するための最良の形態】
【００１０】
［第１の実施形態］
以下、本発明の実施の形態について図面を用いて詳細に説明する。本発明による遠隔医療監査システム１００は、図１に示すように、複数の医療機関のそれぞれに設けられた医療機関システム１〜医療機関システムｎと、各医療機関から独立して設けられた医療監査機関の独立医療監査機関システム２００とから構成されている。これらの医療機関システム１〜ｎおよび独立医療監査機関システム２００は、プログラム制御により動作し、広帯域伝送が可能なインターネット等のネットワーク１００ａを介して相互に接続されている。なお、図示の医療機関システム１〜ｎは、それぞれ同様の構成を成すものである。
【００１１】
図２は、遠隔医療監査システム１００の構成を示すブロック図である。図２では、説明のため、図１に示す医療機関システム１〜ｎのうちの医療機関システム１のみを示す。医療機関システム１は、図２に示すように、当該医療機関における手術や治療等の施術状況を示す術中映像を撮影する撮影部としての高精細撮像カメラ４および撮像カメラ５を備える。
【００１２】
高精細撮像カメラ４は、手術患部のような詳細な施術箇所や医師の手技等の確認に充分な解像度を備えたものであり、例えば高精細画質のＨＤ（High Definition：高解像度）カメラを採用することが望ましい。他方の撮像カメラ５は、執刀医師や医療スタッフの動き等、施術現場の全体的な状況を撮影するものであり、高精細撮像カメラ４と同様な高精細画質のＨＤカメラであっても、標準画質のＳＤ（Standard Definition：標準解像度）カメラであっても良い。これらの高精細撮像カメラ４および撮像カメラ５により撮影する術中映像は、両映像が経時的に対応するよう後述の符号化部９へ入力される。
【００１３】
また、医療機関システム１は、施術中の患者のバイタルサインを計測して出力する、心電図計６、脈拍計７、血圧計８等を有し、これらは、本発明において術中情報を出力する術中情報出力部の機能を果たす。
【００１４】
さらに、医療機関システム１は、高精細で高画質の術中映像および術中情報を符号化する機能を果たす符号化部（エンコーダ）９と、符号化された術中映像１１−１および術中情報１１−２、すなわち本発明における術中記録データを記録保存するための、ハードディスク装置を含む記録部１０と、術中記録データをネットワーク１００ａを介して独立医療監査機関システム２００へ送信する通信部１２と、医療機関システム１の動作を制御する制御部１３とを備える。
【００１５】
制御部１３は、本発明における監査結果取得部の機能を果たすものであり、上記の各構成要素の動作制御を行うと共に、通信部１２により送信した術中記録データに対応する監査結果データを、後述のＩＤ情報を用いて独立医療監査機関システム２００から取得する制御を行う。
【００１６】
一方、独立医療監査機関システム２００は、図２に示すように、医療機関システム１から送信された術中記録データをネットワーク１００ａを介して受信する通信部１４と、受信した術中記録データである術中映像１６−１および術中情報１６−２を内部に記録保存するための、ハードディスク装置を含む記録部１５と、術中映像１６−１および術中情報１６−２を復号する復号化部（デコーダ）１７と、復号された術中映像および術中情報を画面表示する映像表示部１８および情報表示部１９と、独立医療監査機関システム２００のオペレータが医療監査結果を入力するためのコンソール装置である入力部２０と、独立医療監査機関システム２００の動作を制御する制御部２１とを備える。なお、記録部１５に保存される術中映像１６−１および術中情報１６−２は、医療機関システム１において記録部１０に保存される術中映像１１−１および術中情報１１−２と同一の内容を示すものである。
【００１７】
制御部２１は、本発明における監査結果供給部の機能を果たすものであり、上記の各構成要素の動作制御を行うと共に、次の処理を制御する。すなわち、医療機関システム１から術中記録データを受信したとき、このデータを識別するためのＩＤ情報を自動的に採番して医療機関システム１へ通知する機能と、この術中記録データをＩＤ情報に関連付けて記録部１５へ保存する機能と、保存した術中記録データに関し入力部２０から入力される監査結果データを当該ＩＤ情報に関連付けて記録部１５に記録する機能と、医療機関システム１からＩＤ情報を送信されたとき、このＩＤ情報に対応する監査結果データを記録部１５から抽出して医療機関システム１へ供給する機能である。
【００１８】
次に、本実施形態の全体の動作について詳細に説明する。まず、事前に、図２に示す医療機関システム１を医療機関に設置し、同図に示す独立医療監査機関システム２００を独立医療監査機関に設置する。医療機関は、独立医療監査機関に対し医療監査に関する契約を申し出、この契約において、監査終了後に監査費用としての対価を支払う旨の取り決めを行う。なお、その際、医療機関が独立医療監査機関に対し、異議申し立てをしない旨の誓約をするようにすれば、独立医療監査機関としては公正な監査に尽力することができるようになって良い。そして、独立医療監査機関は、医療機関との間で契約を成立させ、監査終了後に医療機関側から対価を受け取るよう決済処理に関する所定の手続きを行う。
【００１９】
上記のような契約締結後における遠隔医療監査システム１００の動作手順を、図３に示すシーケンス図に沿って説明する。まず、医療機関システム１は、医療機関において医療監査の対象となる脳、心臓、癌などに関わる重大な外科手術等が実施される間、制御部１３の制御のもとに、施術状況を示す術中映像を高精細撮像カメラ４および撮像カメラ５から符号化部９へ入力し、また、同時的に、当該患者のバイタルサインを含む術中情報を心電図計６、脈拍計７および血圧計８から符号化部９へ入力し、符号化部９が、これらの術中映像および術中情報を順次符号化する。そして、符号化された術中映像１１−１および術中情報１１−２を、記録部１０に順次記録する（ステップＳ１）。
【００２０】
ここで、医療機関のオペレータが、医療機関システム１に対する所定の操作により手術終了の旨を入力すると、通信部１２が記録部１０の術中映像１１−１および術中情報１１−２である術中記録データを、ネットワーク１００ａを介して独立医療監査機関システム２００へ送信する（ステップＳ２）。
【００２１】
一方、制御部２１の制御のもとで動作する独立医療監査機関システム２００は、通信部１４が医療機関システム１からの術中記録データを受信すると、折り返し、自動採番したＩＤ情報を医療機関システム１へ通知し（ステップＳ３）、このＩＤ情報と、受信した術中記録データである術中映像１６−１および術中情報１６−２とを関連付けて記録部１５へ格納する（ステップＳ４）。その様子を図４に擬似的に示す。図示するように、記録部１５においては、医療機関システム１に発行した「001」のようなＩＤ情報と、医療機関システム１から受信した術中映像１６−１および術中情報１６−２と、後述の手順において入力部２０から入力される監査結果データとが、ＩＤ情報をインデックスとして検索可能に格納される。
【００２２】
続いて、独立医療監査機関システム２００では、復号化部１７が術中映像１６−１および術中情報１６−２を復号し、その復号結果を用いて、映像表示部１８および情報表示部１９により図５に示すような術中映像１８−０および術中情報１９−０を画面表示する（ステップＳ５）。このとき、図示するように、術中映像１８−０としては、高精細撮像カメラ４で撮影した施術箇所の高精細術中映像１８−１と、これと同時的に施術者の様子を撮像カメラ５で撮影した参照映像１８−２とが表示され、また、術中情報１９−０としては、心電図計６による心電図術中情報１９−１と、脈拍計７による脈拍術中情報１９−２と、血圧計８による血圧術中情報１９−３とが表示される。これらの術中映像１８−０および術中情報１９−０は、それぞれ別個の表示装置にて同時的に表示しても、また、単一の表示装置にマルチウィンドウにて表示してもよい。
【００２３】
続いて、独立医療監査機関の医療・法律専門家等により、上述の図５に示すような表示画面に基づいて、当該手術が適正に行われたか否かが分析され、これにより医療機関における重大外科手術等の医療行為が監査される。そして、独立医療監査機関システム２００のオペレータが、医療監査の結果の内容を入力部２０により入力すると、その監査結果データが、図４に示すような状態で当該ＩＤ情報に関連付けられ記録部１５に格納される（ステップＳ６）。独立医療監査機関システム２００は、記録部１５に監査結果データが格納されると、監査結果が完成した旨を当該ＩＤ情報と共に医療機関システム１へ通知する（ステップＳ７）。この通知は、例えば、記録部１５への監査結果データの保存を契機に、予め設定したメール文書を自動送信することにより実行することができる。
【００２４】
医療機関システム１は、独立医療監査機関システム２００から監査結果の完成通知を受けた後、任意の時点で、この監査結果の取得をオペレータ操作により指示されると、その監査結果データを取得すべく、制御部１３の制御のもとで、先に通知されたＩＤ情報を独立医療監査機関システム２００へ送信する（ステップＳ８）。
【００２５】
独立医療監査機関システム２００は、医療機関システム１からＩＤ情報を受信したとき、このＩＤ情報のレコードを記録部１５において検索し、当該レコードにおける監査結果データを抽出する（ステップＳ９）。そして、抽出した監査結果データを医療機関システム１へ送信し、処理を終了する（ステップＳ１０）。このように、独立医療監査機関では、オペレータの操作を介することなく監査結果を医療機関側へ提供することができる。
【００２６】
医療機関システム１は、独立医療監査機関システム２００からの監査結果データを受信し、これを記録部１０へ格納し、一連の処理を終了する（ステップＳ１１）。
【００２７】
以上説明した第１の実施形態の遠隔医療監査システム１００によれば、医療機関システム１および独立医療監査機関システム２００による上記説明した協働により、医療機関の医療監査を第三者により円滑に実行することができる。そして、万一、医療機関にて不慮の医療事故が発生し医療過誤訴訟が行われても、医療機関は、独立医療監査機関システム２００から取得した監査結果データ、すなわち、上述の独立医療監査機関の医療・法律専門家による手術監査結果報告を、裁判の証拠として活用することができる。
【００２８】
また、医療機関は、監査結果データを医療訴訟に活用する他に、例えば、施術中に保存した術中映像１１−１および術中情報１１−２と共に、患者およびその家族に開示することで、当該関係者に安心感を与えることができ、また、同種の疾患を持つ患者および家族に対し、手術実施前に参考資料として提供することで安心感を与えることもできる。さらに、医療機関の優れた手術例として他病院、医科大学等の医療関係者に資料提供する等して活用することもでき、その際、医療機関は、術中映像１１−１および術中情報１１−２を有償で提供することも可能となる。
【００２９】
なお、上記説明した実施形態では、医療機関システム１が独立医療監査機関システム２００へ術中記録データを送信するにあたり、手術が終了した時点で術中記録データを送信する手順を説明したが（ステップＳ２）、このように術後に一括的に送信することに代えて、施術中に順次送信し、独立医療監査機関システム２００にてリアルタイムに術中映像等を表示するようにしてもよい。その場合、独立医療監査機関システム２００は、すべての術中記録データを受信し終えたときに医療機関システム１へＩＤ情報を発行する。
【００３０】
［他の実施形態］
図６は、本発明に係る遠隔医療監査システムの他の実施形態の構成を示すブロック図である。以下、図示の遠隔医療監査システム１０１について、主に、図２に沿って上記説明した遠隔医療監査システム１００との差異部分を説明する。
【００３１】
遠隔医療監査システム１０１における医療機関システム１は、図６に示すように、高精細撮像カメラ４および撮像カメラ５からの術中映像と、心電図計６、脈拍計７、血圧計８等の複数の医療計測器から出力される術中情報とを合成して、その合成結果である合成済み術中映像／術中情報を符号化部９に供給する術中映像／術中情報合成部３０を備える。
【００３２】
図７に、術中映像／術中情報合成部３０の機能的な構成を示す。術中映像／術中情報合成部３０は、その主な機能として、変換部３１、映像合成部３２および文字入力部３３を有する。変換部３１は、高精細撮像カメラ４および撮像カメラ５からの術中映像と心電図計６からの術中情報とを映像合成部３２へ入力可能な映像情報に変換し、また、脈拍計７および血圧計８からの術中情報を文字入力部３３へ入力可能な情報に変換する。
【００３３】
文字入力部３３は、変換部３１から供給された上記の術中情報と、施術中の医療行為を識別するためにオペレータ操作により外部入力される手術日時、病院名、執刀医名、患者名、手術名等の入力情報とを、それぞれ文字として画面表示可能な映像情報に変換して映像合成部３２へ渡す。この文字入力部３３の処理により、外部入力される手術日時、病院名等は、テロップ状に画面表示可能な映像情報に変換される。映像合成部３２は、変換部３１および文字入力部３３から入力される映像情報を合成し、これを上述の合成済み術中映像／術中情報として符号化部９へ出力する。
【００３４】
上記の映像合成部３２には、映像合成を高精細の解像度（ＨＤ）にて行う機能を与えることが望ましい。また、術中映像／術中情報合成部３０は、上記の各構成要素の機能を果たす別個のコンピュータ装置により実現してもよく、あるいは、全ての機能を具備する単一の装置により実現してもよい。
【００３５】
符号化部９にて符号化された合成済み術中映像／術中情報１１は、術中記録データとして記録部１０に保存され、通信部１２により独立医療監査機関システム２００へ送信される。なお、記録部１０に保存される合成済み術中映像／術中情報１１は、合成前の複数の映像情報に分離不可能なデジタルデータであり、万一、データの改変が行なわれた場合には、データの単一性が崩れて別個のデジタルデータとなり、結果、改ざんされたことが自明となるものである。
【００３６】
独立医療監査機関システム２００は、医療機関システム１から受信した術中記録データである合成済み術中映像／術中情報１６を記録部１５に保存し、また、この術中記録データを復号化部１７が復号すると、映像／情報表示部１８Ａが画面表示する。
【００３７】
図８に、映像／情報表示部１８Ａが表示する画面の例を示す。映像／情報表示部１８Ａが表示する画面１８ａは、図８に示すように、１つのウィンドウ中に術中映像１８−０および術中情報１９−０が表示されたものであり、さらに、その術中映像１８−０には、高精細撮像カメラ４による高精細術中映像１８−１と、撮像カメラ５による参照映像１８−２と、外部入力された手術日時等を示すテロップ映像１８−３とが合成された状態で表示され、また、術中情報１９−０には、心電図術中情報１９−１、脈拍術中情報１９−２、血圧術中情報１９−３およびテロップ映像１９−４とが合成された状態で表示される。
【００３８】
よって、遠隔医療監査システム１０１によれば、図２の構成を有する遠隔医療監査システム１００と同様な効果に加え、医療監査のための術中記録データが不正に改変されることを防止でき、また、複数の映像が１つの画面にて表示されることから、独立医療監査機関にとっては、監査対象となる映像の取り扱いが簡便になるという効果がある。
【図面の簡単な説明】
【００３９】
【図１】本発明の実施形態の遠隔医療監査システムの概略的な構成を示すブロック図である。
【図２】実施形態の遠隔医療監査システムの内部構成を示すブロック図である。
【図３】実施形態の遠隔医療監査システムの動作手順を示すシーケンス図である。
【図４】実施形態の独立医療監査機関システムの記録部を説明するための説明図である。
【図５】実施形態にて画面表示される術中映像および術中情報を説明するための説明図である。
【図６】他の実施形態の遠隔医療監査システムの内部構成を示すブロック図である。
【図７】他の実施形態の術中映像／術中情報合成部の構成を示すブロック図である。
【図８】他の実施形態にて画面表示される術中映像および術中情報を説明するための説明図である。
【符号の説明】
【００４０】
１００、１０１  遠隔医療監査システム
１００ａ  ネットワーク
２００  独立医療監査機関システム
１〜ｎ  医療機関システム
４：高精細撮像カメラ、５：撮像カメラ
６：心電図計、７：脈拍計、８：血圧計
９  符号化部
１０、１５  記録部
１１−１、１６−１  術中映像
１１−２、１６−２  術中情報
１１、１６  合成済み術中映像／術中情報
１２、１４  通信部
１３、２１  制御部
１７  復号化部
１８  映像表示部
１９  情報表示部
１８Ａ  映像／情報表示部
２０  入力部
３０  術中映像／術中情報合成部
３１：変換部、３２：映像合成部、３３：文字入力部
【図１】
2005346552.tif 000003
【図２】
2005346552.tif 000004
【図３】
2005346552.tif 000005
【図４】
2005346552.tif 000006
【図５】
2005346552.tif 000007
【図６】
2005346552.tif 000008
【図７】
2005346552.tif 000009
【図８】
2005346552.tif 000010